(57)【特許請求の範囲】
【請求項１】
電源回路部と、電源電流が前記電源回路部によって供給されるＬＣ発振回路部と、前記ＬＣ発振回路部の発振周波数を検出する検出回路部と、前記検出回路部による前記発振周波数の検出結果に基づいて前記発振周波数の変化を判定する判定回路部と、を備え、前記ＬＣ発振回路部は、盗難監視対象のケーブルに近接して配置されることを特徴とし、前記ＬＣ発振回路部の基準発振周波数は、一定時間ごとに再設定されることを特徴とする、ケーブル盗難監視装置。
【請求項２】
マスター装置を備え、
請求項１に記載のケーブル盗難監視装置と前記マスター装置とから成るケーブル盗難監視システムであって、
前記ケーブル盗難監視装置は、請求項１に記載の判定回路部による請求項１に記載の発振周波数の変化の判定結果を、請求項１に記載の電源回路部の消費電流の変化に置き換えて出力する出力回路部を有し、
前記マスター装置は、電線を通じて前記ケーブル盗難監視装置の前記電源回路部へ電源電流を供給する電源電流供給部と、前記電源回路部の前記消費電流の前記変化にともなう通電電流値の低下を検出する通電電流値低下検出部と、前記通電電流値低下検出部による前記通電電流値の前記低下の検出結果に基づいて警報出力する警報出力部と、を有することを特徴とし、
かつ、前記ケーブル盗難監視装置は、複数台あり、前記マスター装置には、複数台の前記ケーブル盗難監視装置が前記電線を通じてシリーズに接続され、複数台の前記ケーブル盗難監視装置をシリーズに接続する前記電線は、前記ケーブル盗難監視装置の前記電源回路部へ前記電源電流を供給するとともに、前記電源回路部の前記消費電流の前記変化を伝達することを特徴とする前記ケーブル盗難監視システム。 
【発明の詳細な説明】
【技術分野】
【０００１】
本発明は、太陽光発電所などで利用される、ケーブル盗難監視システム、およびケーブル盗難監視装置に関する。
【背景技術】
【０００２】
最近、太陽光発電所において、電力輸送用ケーブルの盗難が頻発している。
【０００３】
電力輸送用ケーブルは芯線が太く、銅またはアルミニウムなどを使用したケーブルは、金属としての価値が高いので、盗難に遭いやすいものであった。
【０００４】
より具体的に説明すると、太陽光発発電所は、人里から離れた辺鄙な場所に在り、コスト優先で開発されているため、周辺の侵入防止のための頑丈で高い塀も、赤外線による侵入監視システムなども設置されておらず、監視員を置くこともされていないので、窃盗集団に狙われやすく、高価に売却できて入手先の判らないケーブルなどは盗まれやすいものであった。
【０００５】
このような盗難事件を避けるために、種々の対策が検討され実施されている。
【０００６】
たとえば、一定時間ごとに集電ケーブルの導通を確認し、１箇所の断線検出は故障と判断し、２か所以上の同時期の断線は盗難と判断するケーブル盗難監視システム（たとえば、特許文献１参照）、およびＲＦＩＤを用いたケーブル盗難監視システム（たとえば、特許文献２参照）などが知られている。
【先行技術文献】
【特許文献】
【０００７】
【特許文献１】特許第５４６３４６９号公報
【特許文献２】特許第３９０８３８８号公報
【発明の概要】
【発明が解決しようとする課題】
【０００８】
ところで、本発明者は、盗難監視対象のケーブルに直接的に器具を取付けるのではなく、非接触であって、特殊な設定作業を必要とせずに設置でき、ケーブルを盗もうとする者に気付かれることなく監視でき、低コストで実現できるケーブル盗難監視システムを提供することが望ましいと考えている。
【０００９】
そして、本発明者は、前述された従来のケーブル盗難監視システムについて、つぎのように分析している。
【００１０】
前者については、偶発的故障と、人為的な盗難事件と、の本質的な差に注目しており、効果が明確であり、発想としては優れているが、単なる集電ケーブルの導通または非導通が確認されるだけであるので、太陽光パネルの故障、ヒューズ切れ、またはダイオードの故障なども発生し得る点を考慮すると、盗難が実際に発生したのか否かを即座には判断できない。結局のところ、現場の集電ケーブルの配線に即した警報装置の設置が、どうしても必要である。もちろん、対象ケーブルの両末端がかなり離れているような場合はその導通確認が困難になるので、太陽光発電所の設計時点で検出装置の配置について検討しておく必要があり、そのような検出装置を既に運用されている太陽光発電所に新たに設置することは困難である。
【００１１】
後者については、ＲＦＩＤタグを利用することによって、監視対象機器に掛けられたリング状の紐が引っ張られたまたは引き抜かれたことを検出して無線で通報する単純な手法であるが、ＲＦＩＤタグを盗難監視対象機器ごとに用意することが必要である。そして、盗難監視対象機器がケーブルである場合は、ケーブル自体がその前後でカットされて引き抜かれれば、盗難を検出できない。
【００１２】
何れにせよ、このような従来のケーブル盗難監視システムについては、信頼性の高い長期使用が可能であるとは言い難い。
【００１３】
本発明は、前述された従来の課題を考慮し、より信頼性の高い長期使用が可能な、ケーブル盗難監視システム、およびケーブル盗難監視装置を提供することを目的とする。
【課題を解決するための手段】
【００１４】
第１の本発明は、電源回路部と、
電源電流が前記電源回路部によって供給されるＬＣ発振回路部と、
前記ＬＣ発振回路部の発振周波数を検出する検出回路部と、
前記検出回路部による前記発振周波数の検出結果に基づいて前記発振周波数の変化を判定する判定回路部と、
を備えることを特徴とするケーブル盗難監視システムである。
【００１５】
第２の本発明は、第１の本発明において、前記ＬＣ発振回路部が、盗難監視対象のケーブルに近接して配置されることを特徴とする、ケーブル盗難監視システムである。
【００１６】
第３の本発明は、第１または第２の本発明において、ケーブル盗難監視装置を備え、
前記ケーブル盗難監視装置が、前記電源回路部と、前記ＬＣ発振回路部と、前記検出回路部と、前記判定回路部と、を有することを特徴とする、ケーブル盗難監視システムである。
【００１７】
第４の本発明は、第３の本発明において、マスター装置を備え、
前記ケーブル盗難監視装置が、前記判定回路部による前記発振周波数の前記変化の判定結果を、前記電源回路部の消費電流の変化に置き換えて出力する出力回路部を有し、
前記マスター装置が、電線を通じて前記電源回路部へ前記電源電流を供給する電源電流供給部と、前記電源回路部の前記消費電流の前記変化にともなう通電電流値の低下を検出する通電電流値低下検出部と、前記通電電流値低下検出部による前記通電電流値の前記低下の検出結果に基づいて警報出力する警報出力部と、を有することを特徴とする、ケーブル盗難監視システムである。
【００１８】
第５の本発明は、第４の本発明において、前記ケーブル盗難監視装置が、複数台あり、
前記マスター装置には、前記複数台のケーブル盗難監視装置が電線を通じてシリーズに接続され、
前記複数台のケーブル盗難監視装置をシリーズに接続する前記電線が、前記電源回路部へ前記電源電流を供給するとともに、前記電源回路部の前記消費電流の前記変化を伝達することを特徴とする、ケーブル盗難監視システムである。
【００１９】
第６の本発明は、第３の本発明において、前記ＬＣ発振回路部の基準発振周波数が、一定時間ごとに再設定されることを特徴とする、ケーブル盗難監視システムである。
【００２０】
第７の本発明は、第１または第２の本発明において、ケーブル盗難監視装置と、マスター装置と、を備え、
前記ケーブル盗難監視装置が、前記電源回路部と、前記ＬＣ発振回路部と、を有し、
前記マスター装置が、前記検出回路部と、前記判定回路部と、を有することを特徴とする、ケーブル盗難監視システムである。
【００２１】
第８の本発明は、電源回路部と、
電源電流が前記電源回路部によって供給されるＬＣ発振回路部と、
前記ＬＣ発振回路部の発振周波数を検出する検出回路部と、
前記検出回路部による前記発振周波数の検出結果に基づいて前記発振周波数の変化を判定する判定回路部と、
を備えることを特徴とするケーブル盗難監視装置である。
【発明の効果】
【００２２】
本発明によって、より信頼性の高い長期使用が可能な、ケーブル盗難監視システム、およびケーブル盗難監視装置を提供することができる。
【図面の簡単な説明】
【００２３】
【図１】本発明における実施の形態のケーブル盗難監視システムのケーブル盗難監視装置の回路図
【図２】本発明における実施の形態のケーブル盗難監視システムのマスター装置の回路図
【図３】本発明における実施の形態のケーブル盗難監視システムのケーブル盗難監視装置の斜視図
【発明を実施するための形態】
【００２４】
以下、図面を参照しながら、本発明における実施の形態について詳細に説明する。
【００２５】
すなわち、図１〜３を参照しながら、本発明のケーブル盗難監視システムの一例である、本実施の形態のケーブル盗難監視システムの構成および動作について具体的に説明する。
【００２６】
ここに、図１は、本発明における実施の形態のケーブル盗難監視システムのケーブル盗難監視装置１００の回路図であり、図２は、本発明における実施の形態のケーブル盗難監視システムのマスター装置２００の回路図であり、図３は、本発明における実施の形態のケーブル盗難監視システムのケーブル盗難監視装置１００の斜視図である。
【００２７】
図２においては、複数台のケーブル盗難監視装置１００がマスター装置２００に接続されている構成も模式的に示されている。
【００２８】
図１〜３に示された構成などは何れも一例であって、これらのさまざまな変形例などが考えられることは言うまでもない。
【００２９】
さて、本実施の形態のケーブル盗難監視システムは、センサー部としてのケーブル盗難監視装置１００と、マスター部としてのマスター装置２００と、を備える。
【００３０】
以下で詳細に説明されるように、ケーブル盗難監視システムは、盗難監視対象のケーブル１に近接して配置されているＬＣ発振回路部１２０と、ＬＣ発振回路部１２０の発信周波数を検出し、ＬＣ発振回路部１２０の発信周波数の変化の有無を判定するマイクロコンピューター部１３０と、判定の結果を電源回路部１１０の消費電流の変化に置き換えて出力する出力回路部１４０と、通電電流値の低下を検出する検出部２２０と、警報接点出力する出力部２３０と、ケーブル盗難監視装置１００への電源電流を供給する電源部２１０と、を備える。
【００３１】
そして、ケーブル１が抜かれたり、ケーブル１の位置が変えられたりすると、ＬＣ発振回路部１２０の発信周波数が所定基準を超えて大きく変化することを利用して、ケーブル１の盗難監視が行われる。
【００３２】
まず、図１および３を主として参照しながら、本発明のケーブル盗難監視装置の一例であるケーブル盗難監視装置１００の構成および動作について具体的に説明する。
【００３３】
ケーブル盗難監視装置１００は、電源回路部１１０、ＬＣ発振回路部１２０、マイクロコンピューター部１３０、および出力回路部１４０を有する。
【００３４】
電源回路部１１０は、本発明の電源回路部を含む手段の一例である。
【００３５】
後述されるように、電線１１、１２、１３、１４、１５、１６、１７および１８は、ケーブル盗難監視装置１００の電源回路部１１０への電源供給ラインの機能と、消費電流の変化を利用して発報しているケーブル盗難監視装置１００からの信号伝達ラインの機能と、を併せもっており、ケーブル盗難監視システムの設置時における線材の使用量が、低減される。
【００３６】
ＬＣ発振回路部１２０は、電源電流が電源回路部１１０によって供給される、本発明のＬＣ発振回路部を含む手段の一例である。
【００３７】
ＬＣ発振回路部１２０のコイル１２１のインダクタンスは、コイル１２１の周辺の集電用ケーブルであるケーブル１の芯線などの金属塊の有無、および同金属塊との位置関係、ならびにケーブルの太さおよび本数などによって変化する。よって、ＬＣ発振回路部１２０の発信周波数の変化量は、盗難ケーブルの太さを表すと理解される、盗難されたケーブルの断面積および盗難されていないケーブルの断面積の総和で盗難されたケーブルの断面積を除した断面積比、ならびにケーブル盗難監視装置１００とケーブル１との間の距離および位置関係などによって異なる。たとえば、通常は１９．８〜２０．２キロヘルツ程度であるＬＣ発振回路部１２０の発信周波数は、ケーブル盗難などが発生すると、２キロヘルツ程度以上は変化する。
【００３８】
ＬＣ発振回路部１２０は、盗難監視対象のケーブル１に近接して配置される。
【００３９】
ケーブル盗難監視装置１００は、本実施の形態におけるように、ＬＣ発振回路部１２０を含む部分がケーブル１の上方近接位置に配置される（図３参照）ように設置されてもよいし、ＬＣ発振回路部１２０のみが太陽光発電所の電力輸送用ケーブルであるケーブル１が収納されるケーブルダクトまたはケーブルトラフの内部に配置されるように設置されてもよい。
【００４０】
マイクロコンピューター部１３０は、ＬＣ発振回路部１２０の発振周波数を検出し、発振周波数の検出結果に基づいて発振周波数の変化を判定する、本発明の検出回路部および判定回路部を含む手段の一例である。
【００４１】
マイクロコンピューター部１３０は、マイクロコンピューター１３１を有し、検出回路部の機能と判定回路部の機能とを併せもっており、ＰＯＲＴ（ポート）ＰＢ２から入力される発信波形の周波数を測定して周波数の変化を認識する。
【００４２】
ＰＯＲＴ（ポート）のＩ／Ｏ状態および機能については、つぎの通りである。
【００４３】
【表１】
0006613688.tif 000002
ＬＣ発振回路部１２０の発信周波数を検出する検出回路部、およびＬＣ発振回路部１２０の発信周波数の変化の有無を判定する判定回路部は、本実施の形態におけるように、専用ソフトウエアがマイクロコンピューターなどのデバイスに組み込まれた単一のマイクロコンピューター部１３０として実現されてもよいし、ハードウエアとして個々に実現されてもよい。
【００４４】
出力回路部１４０は、マイクロコンピューター部１３０による発振周波数の変化の判定結果を、電源回路部１１０の消費電流の変化に置き換えて出力する、本発明の出力回路部を含む手段の一例である。
【００４５】
出力回路部１４０は、電源回路部１１０が回路の中に有する定電流ダイオード１１１と同様な定電流ダイオード１４１を回路の中に有しており、通常時における消費電流は、一定値になるように調整される。
【００４６】
そして、周辺の集電用ケーブルであるケーブル１の有無または配置が変化し、周波数測定結果の変化が予め設定された閾値を越えると、出力回路部１４０の回路の中のトランジスター２ＣＳ２７１３がオフされ、マスター装置２００から見たケーブル盗難監視装置１００の導通電流値が低下するので、異常の検出がマスター装置２００において認識される。
【００４７】
出力回路部１４０の回路の中のトランジスター２ＣＳ２７１３は、このように、通常時にはオン状態であり、消費電流値が何らかの原因で低下する異常時にはオフ状態となるので、出力回路部１４０の断線などの発生も、異常として検出される。
【００４８】
つぎに、図２を主として参照しながら、本発明のマスター装置の一例であるマスター装置２００の構成および動作について具体的に説明する。
【００４９】
マスター装置２００は、電源部２１０、検出部２２０、および出力部２３０を有する。
【００５０】
電源部２１０は、電線１１、１２、１３、１４、１５、１６、１７および１８を通じて電源回路部１１０へ電源電流を供給する、本発明の電源電流供給部を含む手段の一例である。
【００５１】
電線１１、１２、１３、１４、１５、１６、１７および１８は、ケーブル盗難監視装置１００の電源回路部１１０への電源供給ラインの機能と、前述されたように消費電流の変化を利用して発報しているケーブル盗難監視装置１００からの信号伝達ラインの機能と、を併せもっており、ケーブル盗難監視システムの設置時における線材の使用量が、低減される。
【００５２】
電源部２１０は、電線１１、１２、１３および１４、ならびに電線１５、１６、１７および１８のノイズをそれぞれ除去するための二個の電源部ノイズフィルターＮＦ、および＋５ボルトの電源電圧に対応する＋５ボルト電源部入力端子２１１を有する。
【００５３】
検出部２２０は、電源回路部１１０の消費電流の変化にともなう通電電流値の低下を検出する、本発明の通電電流値低下検出部を含む手段の一例である。
【００５４】
出力部２３０は、検出部２２０による通電電流値の低下の検出結果に基づいて警報出力する、本発明の警報出力部を含む手段の一例である。
【００５５】
出力部２３０は、警報出力を行うための出力部リレーＲｙおよび接点出力回路２３１を有する。出力部２３０の一部の回路２３０ａは、電源部２１０と検出部２２０との間に配置されている。
【００５６】
マスター装置２００の構成および動作についてより具体的に説明すると、つぎの通りである。
【００５７】
盗難監視装置１００に供給される、電線１１、１２、１３、１４、１５、１６、１７および１８などの電流出力ラインの電圧は、電圧変換モジュールである、電源部２１０の二個の電源部ＤＣ／ＤＣコンバーター２１３の出力側の電源部ジャンパー線２１２で調整される。出力される電圧値は、１５ボルトの間隔で調整され、最大で６０ボルトである。
【００５８】
そして、供給されている電流値は、同電流出力ラインの中の５１オームの抵抗値を有する二個の抵抗Ｒの両端の電圧値を利用して表現され、通常通電状態と異常検出状態とは、検出部ジャンパー線２２１が出力側に接続された、検出部２２０の二個のコンパレーターＣＭＰによって判別される。異常が発生した場合には、出力部２３０の出力部リレーＲｙが動作し、通常は閉じているリレー回路のスイッチのＢ接点がオフとなる。このように、本実施の形態においては、通常は開いているＡ接点のスイッチではなく、通常は閉じているＢ接点のスイッチが利用されるので、出力部２３０の出力部リレーＲｙが動作すると、スイッチの状態はオフ状態となり、たとえば、電線１１、１２、１３、１４、１５、１６、１７および１８などの電源ラインが切断されても、異常の検出がマスター装置２００において行われる。
【００５９】
このような本実施の形態のケーブル盗難監視システムの長所について具体的に説明すると、つぎの通りである。
【００６０】
ケーブル盗難監視装置１００は、盗難監視対象のケーブル１と直接的に接触している必要はないので、リミットスイッチ方式のケーブル盗難監視装置などと比較して、耐候性に優れており、長期間にわたって使用可能であり、メンテナンスフリーである。
【００６１】
窃盗犯は、このような構成を有するケーブル盗難監視装置１００の存在に気付きにくく、もしもケーブル盗難監視装置１００の存在に気付いても、ケーブル盗難監視装置１００の設置目的が理解できず、しばしばケーブルのみを外して持ち去るので、異常の検出が成功裏に行われる。
【００６２】
そして、ケーブル敷設業者が電気的接続をともなうケーブル盗難監視装置１００へのケーブル取付けをケーブル増設時などに行う必要がなく、そもそもケーブル敷設業者にケーブル盗難監視装置１００の存在を教える必要もないので、ケーブル盗難監視装置１００に関する情報が漏洩しにくい。
【００６３】
さらに、ケーブル盗難監視装置１００における消費電流の低下がマスター装置２００において検出されるので、ケーブル盗難監視装置１００を取外そうとした窃盗犯が電線１１、１２、１３、１４、１５、１６、１７および１８などを切断しても、異常の検出がマスター装置２００において行われる。
【００６４】
このようにして検出された異常が情報として管理部署に速やかに有線または無線通信を利用して伝送されるとともに、盗難監視用の防犯カメラなどの収録データが現場で保存されたり管理部署に有線または無線通信を利用して伝送されたりしてもよい。ケーブル盗難監視装置１００とマスター装置２００とを備えるケーブル盗難監視システムはしばしば人里から離れた辺鄙な場所に在る太陽光発発電所などに設置されているが、異常の検出は人里の管理部署まで確実に伝送される。もちろん、防犯カメラが異常の検出をトリガーとして動作させられてデータが伝送されてもよいし、防犯カメラが常時動作させられていて異常の検出タイミングのデータが伝送されてもよい。そして、太陽光発発電所が有人施設である場合などには、警報ブザーの鳴動などが異常の検出をトリガーとして行われてもよい。
【００６５】
ついで、図１〜３を参照しながら、本実施の形態のケーブル盗難監視システムの構成および動作についてより具体的に説明する。
【００６６】
（Ａ）ケーブル盗難監視装置１００は、複数台あり、マスター装置２００には、複数台のケーブル盗難監視装置１００が電線１２、１３、１６および１７を通じてシリーズに接続され、複数台のケーブル盗難監視装置１００をシリーズに接続する電線１２、１３、１６および１７は、電源回路部１１０へ電源電流を供給するとともに、電源回路部１１０の消費電流の変化を伝達する。
【００６７】
より具体的に説明すると、つぎの通りである。
【００６８】
すなわち、一台のマスター装置２００には、複数台のケーブル盗難監視装置１００が電線１１、１２、１３および１４を利用してループ接続されるとともに、複数台のケーブル盗難監視装置１００が電線１５、１６、１７および１８を利用してループ接続される。
【００６９】
そして、異常が、ループ接続された複数台のケーブル盗難監視装置１００の内の少なくとも一台のケーブル盗難監視装置１００において発生すれば、マスター装置２００は、異常が発生したと認識する。
【００７０】
前述されたように、電線１１、１２、１３、１４、１５、１６、１７および１８は、ケーブル盗難監視装置１００の電源回路部１１０への電源供給ラインの機能と、消費電流の変化を利用して発報しているケーブル盗難監視装置１００からの信号伝達ラインの機能と、を併せもっており、ケーブル盗難監視システムの設置時における線材の使用量が、低減される。
【００７１】
やはり前述されたように、警報出力が検出部２２０による通電電流値の低下の検出結果に基づいて行われるので、電線１１、１２、１３、１４、１５、１６、１７および１８が切断されても、異常の検出がマスター装置２００において行われる。
【００７２】
（Ｂ）ＬＣ発振回路部１２０の基準発振周波数は、一定時間ごとに再設定される。
【００７３】
より具体的に説明すると、つぎの通りである。
【００７４】
すなわち、太陽光発電所の電力輸送用ケーブルであるケーブル１には、昼間は１ストリングで１０００ボルト程度の発電が行われるので、最大１００アンペア程度の直流電流が生じているが、コイル１２１はコアレスであるので、コアの飽和は発生せず、ＬＣ発振回路部１２０のコイル１２１のインダクタンスはほぼ一定である。
【００７５】
もちろん、夜間は発電が行われないので、ＬＣ発振回路部１２０のコイル１２１のインダクタンスは一定である。
【００７６】
そして、ケーブル通電状態においてほぼ一定である昼間のコイル１２１のインダクタンスと、ケーブル通電状態においてほぼ一定である夜間のコイル１２１のインダクタンスと、の間の差異も、それほど大きくないので、ＬＣ発振回路部１２０の発振周波数は、ケーブル盗難などに起因して大きく変化しなければ、通常は２０キロヘルツ程度であってほぼ一定である。
【００７７】
しかしながら、コイル１２１の誘電率および透磁率は、降雨および降雪などにともなう湿度、気圧および温度の変化による影響を比較的に受けやすい。
【００７８】
そこで、発振周波数の変化は、固定的に設定された基準発振周波数からのズレの大きさに基づいて判定されてもよいが、望ましくは、たとえば、一時間ごとに再設定される、再設定時における現実の発振周波数である基準発振周波数からのズレの大きさに基づいて判定される。
【００７９】
すると、ＬＣ発振回路部１２０からの距離が大きいケーブルの、取外された際の発振周波数の変化が小さいために検出しにくい盗難も、看過されることなく認識される。
【００８０】
そして、ＬＣ発振回路部１２０のコイル１２１がケーブルダクトまたはケーブルトラフの底または蓋の裏面などに配置されると、工事にともなうケーブル追加または部分的なケーブル撤去が将来的に行われ、異常が一時的に検出されて警報出力が行われても、たとえば、一時間ごとに再設定された最も新しいＬＣ発振回路部１２０の基準発信周波数が毎時判定部であるマイクロコンピューター部１３０に記憶されるので、そのような再設定が行われた後のケーブル盗難監視は新たな設定を必要とせずに継続される。
【００８１】
かくして、従来のケーブル盗難監視システムでは必要であったケーブル追加または部分的なケーブル撤去にともなう、個々の専用センサーの取付けまたは取外し、およびデータの追加または削除などの再設定が、不要となる。
【００８２】
（Ｃ）なお、前述された本実施の形態においては、ケーブル盗難監視装置１００が電源回路部１１０、ＬＣ発振回路部１２０、およびマイクロコンピューター部１３０を有するが、これに限らず、たとえば、ケーブル盗難監視装置１００が電源回路部１１０、およびＬＣ発振回路部１２０を有し、マスター装置２００がマイクロコンピューター部１３０を有する、別の実施の形態も考えられる。
【００８３】
このような別の実施の形態においては、マイクロコンピューター部１３０が現実的には複数台あるケーブル盗難監視装置１００の間で兼用され、ケーブル盗難監視装置１００の個々の装置構成が簡素になるので、ケーブル盗難監視システムの全体的なシステム構成が簡素になり、コストパフォーマンスが向上される。
【００８４】
以上における詳細な説明からは、つぎのことが明らかになった。
【００８５】
ケーブル盗難監視装置１００は、盗難監視対象のケーブル１と直接的に接触している必要はないので、リミットスイッチ方式のケーブル盗難監視装置などと比較して、耐候性に優れており、長期間にわたって使用可能であり、メンテナンスフリーである。
【００８６】
そして、窃盗犯は、このような構成を有するケーブル盗難監視装置１００の存在に気付きにくく、もしもケーブル盗難監視装置１００の存在に気付いても、ケーブル盗難監視装置１００の設置目的が理解できず、しばしばケーブルのみを外して持ち去るので、異常の検出が成功裏に行われる。
【００８７】
さらに、ケーブル敷設業者が電気的接続をともなうケーブル盗難監視装置１００へのケーブル取付けをケーブル増設時などに行う必要がなく、そもそもケーブル敷設業者にケーブル盗難監視装置１００の存在を教える必要もないので、ケーブル盗難監視装置１００に関する情報が漏洩しにくい。
【００８８】
かくして、従来のケーブル盗難監視システムでは必要であったケーブル追加または部分的なケーブル撤去にともなう、個々の専用センサーの取付けまたは取外し、およびデータの追加または削除などの再設定が、不要となる。たとえば、ＬＣ発振回路部１２０のコイル１２１がケーブルダクトまたはケーブルトラフの底または蓋の裏面などに配置されると、工事にともなうケーブル追加または部分的なケーブル撤去が将来的に行われ、異常が一時的に検出されて警報出力が行われても、たとえば、一時間ごとに再設定された最も新しいＬＣ発振回路部１２０の基準発信周波数が毎時判定部であるマイクロコンピューター部１３０に記憶されるので、そのような再設定が行われた後のケーブル盗難監視は新たな設定を必要とせずに継続される。
【産業上の利用可能性】
【００８９】
本発明における、ケーブル盗難監視システム、およびケーブル盗難監視装置は、より信頼性の高い長期使用が可能であり、太陽光発電所などで利用される、ケーブル盗難監視システム、およびケーブル盗難監視装置に利用する目的に有用である。
【符号の説明】
【００９０】
１  ケーブル
１１、１２、１３、１４、１５、１６、１７、１８  電線
１００  ケーブル盗難監視装置
１１０  電源回路部
１１１  定電流ダイオード
１２０  ＬＣ発振回路部
１２１  コイル
１３０  マイクロコンピューター部
１３１  マイクロコンピューター
１４０  出力回路部
１４１  定電流ダイオード
２００  マスター装置
２１０  電源部
２１１  ＋５ボルト電源部入力端子
２１２  電源部ジャンパー線
２１３  電源部ＤＣ／ＤＣコンバーター
２２０  検出部
２２１  検出部ジャンパー線
２３０  出力部
２３１  接点出力回路
【図１】
0006613688.tif 000003
【図２】
0006613688.tif 000004
【図３】
0006613688.tif 000005